(57)【要約】【課題】  複数の発熱源を１か所に集めて熱交換を行う場合、集熱のために熱輸送を行う際に温度低下が起こってしまい、磁性流体を駆動する際の温度差が小さくなり、磁性流体の循環の効率が損なわれ、冷却の効率が下がってしまうという課題がある。【解決手段】  複数の冷却対象となる発熱源と、磁性流体と、前記磁性流体が封入され前記複数の発熱源に対して並列に接続された循環流路と、前記循環流路に設けられた冷却部と、前記複数の発熱源に近接して設けられ前記循環流路の流路方向に磁場を発生させる磁場印加部とで冷却手段を構成する。【選択図】  図２
2019071315.tif 000002
【特許請求の範囲】
【請求項１】
複数の冷却対象となる発熱源と、
磁性流体と、
前記磁性流体が封入され前記複数の発熱源に対して並列に接続された循環流路と、
前記循環流路に設けられた冷却部と、
前記複数の発熱源に近接して設けられ前記循環流路の流路方向に磁場を発生させる磁場印加部とで構成される冷却手段。
【請求項２】
前記磁場印加部は前記複数の発熱源に対してそれぞれ近接して設けられ前記循環流路の流路方向に磁場を発生させる複数の磁場印加部により構成される請求項１に記載の冷却手段。
【請求項３】
前記複数の発熱源に対して並列に接続された前記循環流路の各流路において開閉可能に弁を持ち前記複数の発熱源の発熱状態に応じて前記弁を開閉することにより各発熱源の冷却状態を変化させることを特徴とする請求項１または２に記載の冷却手段。
【発明の詳細な説明】
【技術分野】
【０００１】
本発明は、磁性流体を循環させることによる冷却手段に関する。
【背景技術】
【０００２】
近年、デジタルカメラやスマートフォン、タブレット、ゲーム機といった電子機器は高機能化等により、消費電力が増加する傾向にある。一方でこのような電子機器に関して、携行性を向上させるため、小型化したいという要請も強い。このような環境下では、電子機器の発熱が課題となる。これを解決するために、様々な発熱対策の手法が提案されている。
【０００３】
電子機器における発熱対策手法の一つとして、特許文献１や特許文献２では、磁場を印加させ磁性流体をループ形状の流路内で循環させることで電子機器の発熱源の熱を冷却部に輸送するという技術の開示がある。磁性流体は発熱源により温められることで磁化が低下し、それを利用して磁場により磁気体積力と呼ばれる駆動力を発生させて、循環させることで熱を輸送することができ、発熱源の温度が高い場合に効率的に熱を輸送することが可能である。
【先行技術文献】
【特許文献】
【０００４】
【特許文献１】特開２００１−７７５７１号公報
【特許文献２】特開２０１４−０５０１４０号公報
【発明の概要】
【発明が解決しようとする課題】
【０００５】
磁性流体の循環を利用した熱輸送手法では、磁場を印加する磁石が配置された配管内の、熱源が接する側ともう一方の側の磁性流体の温度差が大きいと、流路内を循環する磁性流体の流速が上がることが知られている。つまり、磁石により発生する流路方向の磁界内において、流路方向の温度差が大きいほど、流路内を流れる磁性流体の流速が大きくなる。また、磁性流体の循環を利用した冷却装置では、磁性流体によって輸送される熱を、発熱源とは異なる位置に設けられたフィンやファン等の冷却部で冷却し、温度の下がった磁性流体が再度流路内を循環させ、発熱部に送る。
【０００６】
しかしながら、特許文献１や特許文献２のような従来技術では、冷却対象となる発熱源が１か所のみの場合や、複数の発熱源を１か所の熱交換部に集め、磁性流体との熱交換を行うという技術の開示しかない。複数の発熱源を１か所に集めて熱交換を行う場合、集熱のために熱輸送を行う際に温度低下が起こってしまい、磁性流体を駆動する際の温度差が小さくなり、磁性流体の循環の効率が損なわれてしまうという課題がある。
【０００７】
本発明は上記課題に鑑みてなされたものであり、電子機器内に発熱源が複数配されている場合に、磁性流体の循環の効率を損なうことなく、効率よく冷却を行うことを目的とする。
【課題を解決するための手段】
【０００８】
上記目的を達成する為の、本発明の冷却手段は以下の構成を備える。
すなわち、
・複数の冷却対象となる発熱源と、
・磁性流体と、
・前記磁性流体が封入され前記複数の発熱源に対して並列に接続された循環流路と、
・前記循環流路に設けられた冷却部と、
・前記複数の発熱源に近接して設けられ流路方向に磁場を発生させる磁場印加部とで、
冷却手段を構成する。
【発明の効果】
【０００９】
本発明によれば、磁性流体の循環を利用した冷却手段において、発熱源が複数ある場合に磁性流体の循環効率の低下を抑制し効率よく冷却を行うことが可能になる。
【図面の簡単な説明】
【００１０】
【図１】本発明の第１実施形態の正面斜視図、背面斜視図およびブロック図。
【図２】本発明の第１実施形態の冷却手段を説明する図。
【図３】従来例を説明する図。
【図４】本発明の第１実施形態の磁石を複数設けた冷却手段を説明する図。
【図５】本発明の第１実施形態の弁を設けた冷却手段を説明する図。
【図６】本発明の第２実施形態の冷却手段を説明する図。
【発明を実施するための形態】
【００１１】
［実施例１］
（撮像装置の説明）
以下に、本発明の好ましい実施の形態を、添付の図面に基づいて詳細に説明する。本実施例では、冷却手段による冷却対象の電子機器として撮像装置を例にとり説明するが、その他の電子機器についても本手法は有効である。図１、２は本発明の第１の実施形態を説明する図であり、図１は、本発明の実施形態に関わる撮像装置の正面斜視図、背面斜視図およびブロック図である。図２は本発明の実施形態に関わる撮像装置における冷却手段を説明する図である。
【００１２】
図１、図２を用いて、本発明の第一の実施例による冷却手段及び、冷却手段を備えた撮像装置について説明する。図１において、１は撮像装置を、２はレンズ鏡筒を、３は複数の光学レンズからなる撮影光学系を、４は撮影光学系の光軸を、５はカメラシステムを制御する回路を含むカメラシステム制御部を、６は撮像素子をそれぞれ示している。７は画像処理部を、８はメモリ手段を、９は撮像装置１に設けられた表示手段を、１０は操作手段を、１０ａは操作手段を構成するレリーズボタンを、１１はレンズ駆動手段をそれぞれ示している。また、１２は冷却フィン及び冷却ファンを含む冷却部を示しており、１３は熱輸送部となる磁性流体が封入された循環流路をそれぞれ示している。
【００１３】
図１（ｃ）において、撮像装置１は、撮像系、画像処理系、記録再生系、制御系を有する。撮像系は、撮影光学系３、撮像素子６を含む、画像処理系は、画像処理部７を含む。また、記録再生系は、メモリ手段８、表示手段９を含み、制御系は、カメラシステム制御部５、操作手段１０、レンズ駆動手段１１および冷却部１２を含む。レンズ駆動手段１１は、焦点レンズ、ブレ補正レンズ、絞りなどを駆動することができる。
【００１４】
撮像系は、物体からの光を、撮影光学系３を介して撮像素子６の撮像面に結像する光学処理系である。撮像素子６から得られた測距信号に基づいて撮影光学系３の状態をレンズ駆動手段１１によって変化させることで適当なピント位置を調整する。（いわゆるＡＦ動作）
また撮像素子６の信号に基づいて露光状態の設定を行う。（いわゆるＡＥ動作）ここでいう露光状態とは、撮像素子６への露光時間、撮影光学系３の絞り値、撮像素子６の信号の増幅率などのことである。画像処理部７は、内部にＡ／Ｄ変換器、ホワイトバランス回路、ガンマ補正回路、補間演算回路等を有しており、記録用の画像を生成することができる。
【００１５】
メモリ手段８は実際の記憶部に加えて記録に必要な処理回路を備えている。メモリ手段８は、記録部へ出力を行うとともに、表示手段９に出力する像を生成、保存する。また、メモリ手段８は、予め定められた方法を用いて画像、動画、音声などの圧縮を行う。また、図１（ｃ）においては、メモリ手段８は概念的に書かれており、外部から挿入される記憶メディアに相当するように見えるが、撮像装置１が備える、揮発／不揮発メモリを含んでいる。
【００１６】
カメラシステム制御部５は撮像の際のタイミング信号などを生成して出力する。操作手段１０から得られる外部操作信号に応動して撮像系、画像処理系、記録再生系をそれぞれ制御する。例えば、シャッタレリーズボタン１０ａの押下を操作検出回路が検出して、撮像素子６の駆動、画像処理部７の動作、メモリ手段８の圧縮処理などを制御する。さらに表示手段９によって液晶モニタ等に情報表示を行う情報表示装置の表示状態を制御する。
【００１７】
制御系の光学系の調整動作について説明する。カメラシステム制御部５には画像処理部７が接続されており、撮像素子６からの信号等を元に適切な焦点位置、絞り位置を求める。カメラシステム制御部５はレンズ駆動手段１１により、撮影光学系３の光学状態が適切になるように制御する。撮像装置１のエイミング動作においては、撮像素子６で電子画像を撮影しながら表示手段９での被写体観察を行うこと（いわゆるライブビュー撮影）が可能な構成となっている。
【００１８】
また、撮像装置は、冷却部１２及び、熱輸送部である循環流路１３を含む冷却手段を備えており、カメラの状態に応じて適当に冷却手段を動作させて放熱を行うことが可能な構成となっている。さらに熱輸送部である循環流路１３が、発熱源となる発熱性素子である撮像素子６や制御回路を含むカメラシステム制御部５に接触して配置されており、撮像素子６やカメラシステム制御部５およびその近傍で発生した熱を効率よく輸送して排熱できる構成となっている。
【００１９】
（冷却手段の説明）
次に冷却手段の構成について図２を用いて説明する。図２は図１中に示した撮像装置の透視図を背面から見た図を表しており、図1に対応する箇所は同じ番号を付して表している。冷却部１２において、１２ａは冷却フィンを、１２ｂは冷却ファンを表しており、循環流路１３において、１３ａはカメラシステム制御部側流路を、１３ｂは撮像素子側流路を示している。また、１４は発熱源であるカメラシステム制御部５や撮像素子６に近接して設けられ循環流路１３の流路方向に磁場を発生させる請求項で言うところの磁場印加部である磁石を表している。
【００２０】
１５はカメラシステム制御部から発生した熱をカメラシステム制御部側流路１３ａへ輸送するカメラシステム制御部側熱伝導部を、１６は撮像素子で発生した熱を撮像素子側流路１３ｂへ輸送する撮像素子側熱伝導部を表している。また、１７は回路基板を表しており，１７ａはカメラシステム制御部が実装されたカメラシステム制御部回路基板を、１７ｂは撮像素子が実装された撮像素子回路基板をそれぞれ表している。本実施例における冷却手段は、磁性流体が封入された循環流路１３が複数の発熱源（カメラシステム制御部５及び撮像素子６）に対して枝分かれしており、それぞれ並列に接続されていることに特徴がある。
【００２１】
次に、本発明の要部である磁性流体を用いた冷却手段の動作について図２を用いて説明する。磁石１４は循環経路１３におけるカメラシステム制御部側流路１３ａと撮像素子側流路１３ｂの双方に近接して配置され、循環流路１３内に磁場を発生させる。磁石１４近傍の循環流路１３には、複数の発熱源であるカメラシステム制御部５や撮像素子６にそれぞれ当接している熱伝導部（以下、カメラシステム制御部側熱伝導部１５及び撮像素子側熱伝導部１６をまとめて熱伝導部と呼ぶ）が流路を包み込むように配置され、その熱伝導部は、発熱源で発生した熱を輸送し、循環流路１３内の磁性流体を加熱する。
【００２２】
複数の熱伝導部は熱伝導率の高いアルミや銅といった金属部品や、柔軟性を有するグラファイトシートなどが望ましい。また、熱伝導部１５、１６は図２に示すように磁石１４の極性の切り替わる中央線１８を境に、下側部分の循環流路１３の外側に接触している。撮像装置１が起動されると、カメラシステム制御部５や撮像素子６において電力が消費され、発熱が起こる。発熱源において発生した熱は、熱伝導部１５、１６を通して循環流路１３に封入された磁性流体に輸送される。
【００２３】
この時、上述したように磁石１４の中央線１８の下側の磁性流体が温められ、磁石１４によって形成される磁場内に温度勾配が生じる。磁場内に温度勾配が生じることによって高温部側の磁性流体の磁化が低下するため、磁石１４の磁場により、磁気体積力（磁石１４に引き寄せられる力）の非対称性が生じることになる。高温部側の磁性流体が低温部側よりも磁化が低下するため、磁性流体は図２において相対的に下側に進む力を受け、それが駆動力となり循環流路１３内を矢印の方向に移動を始める。
【００２４】
この時、磁石１４の中央線１８の上側（低温側）の磁性流体と下側（高温側）の磁性流体との温度差が大きいほど駆動力となる磁気体積力が大きくなる。つまり、温度差が大きければ大きいほど、磁石１４内の上側と下側にそれぞれ位置する磁性流体の磁化のバランスが崩れ、発生する力が強くなるため、循環効率が高くなる。
【００２５】
その後、熱せられた磁性流体は、循環流路１３内を矢印の方向に進み、カメラシステム制御部側流路１３ａと撮像素子側流路１３ｂの双方の流路が合流し、冷却部１２上で冷却フィン１２ａと熱交換を行う。冷却フィン１２ａは冷却ファン１２ｂが駆動されることにより、空気が送られることで冷却が行われ、循環流路１３内の磁性流体の温度が下げられる。冷却部１２において冷却された磁性流体は、循環流路１３を通り、再びカメラシステム制御部側流路１３ａと撮像素子側流路１３ｂに分岐し、磁石１４の上側、つまり熱伝導部１５，１６の上側へ流れていく。
【００２６】
（従来例の説明、課題）
次に、従来の磁性流体を用いた冷却手段の構成について説明し、本発明の効果について述べる。図３は従来の磁性流体を用いた冷却手段の構成を示す図である。図２と同じ機能を有するものについては同じ番号を付してある。３１は熱伝導部を表しており、発熱源であるカメラシステム制御部５及び撮像素子６において発生した熱を集め、磁石１４の近傍に配された循環流路１３まで輸送する。そこで循環流路１３内の磁性流体に熱が受け渡さら、その後は図２で説明したように磁性流体が駆動し、放熱が行われる。
【００２７】
図３のように従来の磁性流体を用いた冷却手段では、発熱源で発生した熱を、熱伝導部３１を介して一か所に集め、磁性流体が封入された循環流路１３に接続して、磁性流体に熱を受け渡している。このような構成の場合、熱を遠方まで輸送する分、損失があり、熱源の温度は下がってしまう。図３では、撮像素子６が熱輸送部３１を介して、磁性流体に接する際の温度が下がってしまう。
【００２８】
図２で述べたように、磁場内の磁性流体の温度勾配が大きいほど、発生する磁気体積力は大きくなるため、図３において発生する磁気体積力は図２の場合に比べて小さくなってしまう。つまり、熱源が複数ある場合に、それぞれの熱源の熱を一か所に集めて磁性流体に対して熱を受け渡すよりも、各熱源に対して並列に磁性流体の流路が形成され、磁性流体に対して熱を受け渡す方が発生する磁気体積力が大きくなる。したがって、図３のような構成では、磁性流体が循環流路１３を循環する際の循環効率が低くなる。それにより、磁性流体による熱輸送の効率が低下する。
【００２９】
（ポイント）
そこで、循環流路１３を分岐させ、各発熱源に対して接続し、それらの分岐の流路を並列に繋ぐように構成する。これにより図２のように複数存在する各発熱源で発生した熱を、各熱伝導部により各循環流路へ輸送するようにすることで、熱輸送距離が短くなるため、温度低下による損失が少なく、その結果、磁気体積力を図３の構成と比べて大きく取り出すことが可能になる。したがって、以上説明したように、複数の発熱源存在する場合に、循環流路を各発熱源近傍へ並列に繋ぎ、それぞれの熱を磁性流体へ受け渡すことにより、発生する磁気体積力、つまり磁性流体に発生する推進力が大きくなるため、磁性流体の循環効率が高くなる。
【００３０】
（請求項２  磁石も複数）
本実施例ではこれまで循環流路１３に対して流路方向に磁場を発生させる磁石１４が一つしかない場合について説明してきたが、磁石がそれぞれの発熱源や熱伝導部に近接して設けられていてもよい。図４において、４１、４２はそれぞれカメラシステム制御部５、撮像素子６に対応して設けられた磁石であり、４３、４４はそれぞれカメラシステム制御部側磁石４１、撮像素子側磁石４２の極性の切り替わる中央線を示している。各発熱源に接続された熱伝導部１５，１６はそれぞれ、図２と同様に、中央線４３、４４を境に、下側部分の循環流路１３ａ、１３ｂの外側に接触している。
【００３１】
したがって、図２と同様に各磁石４１、４２の中央線４３、４４の下側の磁性流体が温められ、その部分の磁化が低下するため、各磁石４１、４２の磁場により、磁性流体は相対的に下側に進む力を受け、循環流路１３ａ、１３ｂ内を矢印の方向に移動を始める。このように循環流路１３の流路方向に磁場を発生させる磁石は発熱源ごとに複数あっても構わない。
【００３２】
（請求項３  弁を設ける場合）
次に、循環流路１３を分岐させ、各熱源に対して並列に接続した流路に弁が設けられていた場合について説明する。
【００３３】
図５は各発熱源に対して並列に設けられた循環流路１３において、カメラシステム制御部側流路１３ａ、撮像素子側流路１３ｂそれぞれに弁を設けた場合の図である。５１はカメラシステム制御部側弁を示しており、５２は撮像素子側弁を示している。各弁は開閉可能に設けられており、カメラシステム制御部５により、それぞれ独立に開閉できるものである。このような弁を設けることにより、各発熱源の発熱状態に応じて冷却を行うことが可能になる。一方の発熱源に対して他方の発熱源を急速に冷却したいというような場合に、このような弁を用いて一方の循環流路を閉鎖し、冷却部１２の放熱能力の全てを他方の発熱源の冷却に使用することが可能になる。
【００３４】
例えば、図５において、撮像素子６は撮影を終了しそれほど発熱していないときに、動画の再生や画像の転送などにより、カメラシステム制御部５の発熱量が増えた場合、撮像素子側弁５２を閉じることにより、冷却部１２の冷却能力を発熱量の上昇したカメラシステム制御部５の冷却に全て使用することが可能になる。
【００３５】
このように、一方の発熱源のみ急激な温度上昇が起こるような場合に、状態に応じて冷却部の冷却能力を適切な割合で分配することが可能になる。以上説明したように発熱源が複数ある場合に、循環流路１３を分岐させ、各熱源に対して並列に接続した流路に弁を設け、独立に開閉可能に制御することにより、各発熱源の発熱状態に応じて冷却を行うことが可能になる。
【００３６】
また本実施例では、各弁５１、５２は各循環流路１３ａ、１３ｂに対して、上下２カ所に弁を設けたが、どちらか一方でも構わない。その場合、一方の流路には必ず磁性流体が循環しており、もう一方の流路への磁性流体の循環を制御することにより、冷却部１２の放熱能力の使用する割合を変化させることが可能になる。
【００３７】
以上説明したように、本発明においては、
・複数の冷却対象となる発熱源と、
・磁性流体と、
・前記磁性流体が封入され前記複数の発熱源に対して並列に接続された循環流路と、
・前記循環流路に設けられた冷却部と、
・前記複数の発熱源に近接して設けられ流路方向に磁場を発生させる磁場印加部とで冷却手段を構成する。
【００３８】
これにより、磁性流体の循環を利用した冷却手段において、発熱源が複数ある場合に磁性流体の循環効率の低下を抑制することが可能となった。
【００３９】
［実施例２］
（撮像装置の説明）
以下に、本発明の他の好ましい実施の形態としを、図６を用いて説明する。図６は冷却装置を搭載した電子機器としてプロジェクタの構成を表している。
【００４０】
図６において、６０はプロジェクタを、６１はプロジェクタ１の筐体を、６２は回路素子が実装されたプロジェクタの制御部を含む制御基板を、６４はランプ６４ａを有する光源ユニットを、６３は光源ユニット６４を含む照明光学系を表している。また、６５は照明光学系からの出射光を入射するＲ・Ｇ・Ｂの３色用の液晶パネルを備えた色分離合成光学系を、６６は色分離合成光学系からの出射光を入射して不図示のスクリーン（被投射面）に画像を投射する投射レンズユニットを、６７は電源ユニットを示している。
【００４１】
プロジェクタ６０は照明光学系６３内の光源ユニット６４から発せられた射出光が、色分離合成光学系６５に入射される。そして、入射光は色分離合成光学系６５を通過し、色分離合成光学系６５内の液晶表示パネルに表示した画像が投射レンズユニットを介して、スクリーンに投射される。照明光学系６３のランプ６４ａの発光制御、色分離合成光学系６５の表示制御等が、制御基板６２内の制御部で行われる。プロジェクタ６０の駆動時において、照明光学系６３内の光源ユニット６４と色分離合成光学系６５の液晶パネルが主な発熱源となる。
【００４２】
またプロジェクタは、冷却部６８及び、熱輸送部である循環流路６９を含む冷却手段を備えており、プロジェクタの状態に応じて適当に冷却手段を動作させて放熱を行うことが可能な構成となっている。さらに熱輸送部である循環流路６９が、発熱源となる色分離光学系６５や光源ユニット６４に接触して配置されており、色分離光学系６５や光源ユニット６４およびその近傍で発生した熱を効率よく輸送して排熱できる構成となっている。
【００４３】
（冷却手段の説明）
次にプロジェクタ６０内の磁性流体を用いた冷却手段の構成について述べる。冷却部６８において、６８ａは冷却フィンを、６８ｂは冷却ファンをそれぞれ表している。６９は磁性流体が充填されたループ構造をなす循環流路を示しており、６９ａ、６９ｂはそれぞれ、色分離光学系６５を冷却する色分離光学系側流路と、光源ユニット６４を冷却する光源ユニット側流路を示している。７０は発熱源である色分離光学系６５及び、光源ユニット６４も近接して設けられ、循環流路６９の流路方向に磁場を発生させる請求項で言うところの磁場印加部である磁石を表している。
【００４４】
７０ａは色分離光学系側流路６９ａに磁場を発生させる分離光学系側磁石を、７０ｂは光源ユニット側流路６９ｂに磁場を発生させる光源ユニット側磁石をそれぞれ表している。７１は発熱源から発生した熱を循環流路へ輸送する熱伝導部を表しており、７１ａは色分離光学系側熱伝導部を、７１ｂは光源ユニット側熱伝導部を表している。本実施例における冷却手段は、磁性流体が封入された循環流路６９が複数の発熱源（色分離光学系６５及び光源ユニット６４）に対して枝分かれしており、それぞれ並列に接続されていることに特徴がある。
【００４５】
次に、本発明の要部である磁性流体を用いた冷却手段の動作について図６を用いて説明する。磁石７０ａは循環経路６９における色分離光学系側流路６９ａに、磁石７０ｂは光源ユニット側流路６９ｂにそれぞれ近接して配置され、循環流路６９内に磁場を発生させる。磁石７０近傍の循環流路１３には、複数の発熱源である色分離光学系６５や光源ユニット６４にそれぞれ当接している熱伝導部７１が流路を包み込むように配置され、発熱源で発生した熱を輸送し、循環流路６９内の磁性流体を加熱する。複数の熱伝導部７１ａ、７１ｂは熱伝導率の高いアルミや銅といった金属部品や、柔軟性を有するグラファイトシートなどが望ましい。
【００４６】
また、熱伝導部７１は図６に示すように磁石７０の極性の切り替わる中央線７２を境に、一方の循環流路１３の外側に接触している（図６ではＮ極側）。プロジェクタ６０が起動されると、色分離光学系６５や光源ユニット６４において発熱が起こる。発熱源において発生した熱は、熱伝導部７１を通して循環流路６９に封入された磁性流体に輸送される。この時、上述したように磁石７０の中央線７２の一方の極側の磁性流体が温められ、磁石７０によって形成される磁場内に温度勾配が生じる。磁場内に温度勾配が生じることによって高温部側の磁性流体の磁化が低下するため、磁石７０の磁場により、磁気体積力（磁石７０に引き寄せられる力）の非対称性が生じることになる。
【００４７】
高温部側の磁性流体が低温部側よりも磁化が低下するため、磁性流体は、色分離光学系側流路６９ａでは相対的に下側に進む力を受ける。同じように、光源ユニット側流路６９ｂでは相対的に右側に進む力を受ける。つまり、循環流路６９内を矢印の方向に移動を始める。
【００４８】
この時、磁石７０の中央線７２を挟んで、熱伝導部が接触している側（高温側）の磁性流体と接触していない側（低温側）の磁性流体との温度差が大きいほど駆動力となる磁気体積力が大きくなる。つまり、温度差が大きければ大きいほど磁石７０内の磁性流体の磁化のバランスが崩れ、発生する力が強くなるため、循環効率が高くなる。その後、熱せられた磁性流体は、循環流路６９内を矢印の方向に進み、色分離光学系側流路６９ａと光源ユニット側流路６９ｂの双方の流路が合流し、冷却部６８上で冷却フィン６８ａと熱交換を行う。
【００４９】
冷却フィン６９ａは冷却ファン６９ｂが駆動されることにより、空気が送られることで冷却が行われ、循環流路６９内の磁性流体の温度が下げられる。冷却部６８において冷却された磁性流体は、循環流路６９を通り、再び色分離光学系側流路６９ａと光源ユニット側流路６９ｂに分岐し、磁性流体の駆動部となる磁石７０へ流れていく。なお、図６において、本発明の要部ではない部品については図示を省略したが、プロジェクタ６０内にはそのほかの機能を有するユニットも搭載されている。
【００５０】
（ポイント）
従来は、実施例１に示したように、磁性流体を用いた冷却手段において、複数の発熱源が存在する場合は、それぞれの発熱源で発生した熱を一か所に集め、駆動部を形成するという構成であった。循環流路６９を分岐させ、各発熱源に対して接続し、それらの分岐の流路を並列に繋ぐように構成する。これにより図６のように複数存在する各発熱源で発生した熱を、各熱伝導部により各循環流路へ輸送するようにすることで、熱輸送距離が短くなるため、温度低下による損失が少なく、その結果、磁気体積力を大きく取り出すことが可能になる。
【００５１】
したがって、以上説明したように、複数の発熱源存在する場合に、循環流路を各発熱源近傍へ並列に繋ぎ、それぞれの熱を磁性流体へ受け渡すことにより、発生する磁気体積力、つまり磁性流体に発生する推進力が大きくなるため、磁性流体の循環効率が高くなる。
【００５２】
以上説明したように、本発明においては、
・複数の冷却対象となる発熱源と、
・磁性流体と、
・前記磁性流体が封入され前記複数の発熱源に対して並列に接続された循環流路と、
・前記循環流路に設けられた冷却部と、
・前記複数の発熱源に近接して設けられ流路方向に磁場を発生させる磁場印加部とで冷却手段を構成する。
【００５３】
これにより、磁性流体の循環を利用した冷却手段において、発熱源が複数ある場合に磁性流体の循環効率の低下を抑制することが可能となった。
【産業上の利用可能性】
【００５４】
以上は冷却手段の搭載される電子機器としてカメラ及びプロジェクタを例にして説明してきたが、その他のディスプレイ装置、携帯電話等発熱する電子機器にも展開可能である。
【符号の説明】
【００５５】
１            撮像装置
５            カメラシステム制御部
６            撮像素子
１２          冷却部
１２ａ        冷却フィン
１２ｂ        冷却ファン
１３          循環流路
１３ａ        カメラシステム制御部側流路
１３ｂ        撮像素子側流路
１４          磁石
６０          プロジェクタ
６４          光源ユニット
６５          色分離光学系
６８          冷却部
６８ａ        冷却フィン
６８ｂ        冷却ファン
６９          循環流路
６９ａ        色分離光学系側流路
６９ｂ        光源ユニット側流路
７０          磁石
【図１】
2019071315.tif 000003
【図２】
2019071315.tif 000004
【図３】
2019071315.tif 000005
【図４】
2019071315.tif 000006
【図５】
2019071315.tif 000007
【図６】
2019071315.tif 000008